(57)【特許請求の範囲】
【請求項１】
６６００Ｖあるいは３３００Ｖの高圧３相交流発電機の通電試験に用いられる通電試験用負荷抵抗器であり、
方形状に枠組みされた角フレーム（１３）内に、
略円筒状をなす基体（１）と、該基体（１）の外周長手方向に間隔をおいて複数枚取り付けられ、基体（１）外周より外側へ略環状に張り出す張り出し片（２・・・）と、前記基体（１）の内部に設置される抵抗用素材（３）と、該抵抗用素材（３）と前記基体（１）の内壁との間に充填された粉末状をなす絶縁部材（４）と、前記基体（１）の両端部と、該基体（１）の両端部より外側に配置され前記抵抗用素材（３）に接続された接続用端子（５）との間に介在され、前記基体（１）と略同等の外形をなすと共に、前記基体の両端部内壁内に嵌り込んで取り付けられる凸状嵌り込み部を有する、基体（１）の長手方向に向かい略１センチの長さからなるテフロン（登録商標）製絶縁部材（６）と、を有し、
前記接続用端子（５）の基端は前記基体（１）の内部で前記抵抗用素材（３）に接続されてなると共に、他端側は雄ねじ状に形成されて、前記絶縁部材（６）を軸心方向に向かい螺通して外側に露出され、該露出部にはナットが螺着されて前記絶縁部材（６）に固定され、さらにナットが螺挿されて接続部材（１４）用の取り付け部が設けられた、定格電圧４００Ｖ、定格容量１、６７ＫＷ、絶縁耐力２０００Ｖ／１分間の規格からなる負荷抵抗器用抵抗体（１０・・・）を、
所定間隔をおいて平行に複数本取り付け、かつ該複数本の負荷抵抗器用抵抗体（１０・・・）の隣り合う接続用端子（５・・・）同士を前記接続部材（１４）で接続あるいは切り離し可能にして抵抗体回路（１２）を形成し、
略方形体状をなす本体フレーム（１１）内に複数の前記抵抗体回路（１２・・・）を積み重ねて複数段にして組み込むと共に、上下に隣り合う抵抗体回路（１２、１２）にあっては上下に位置する負荷抵抗器用抵抗体（１０）が上下方向に重なり合わない位置に配置されて負荷器ユニット（１７）が形成されてなり、
前記複数段に積み重ねられて組み込まれた抵抗体回路（１２・・・）は、最上段の抵抗体回路（１２・・・）の接続端子（１４）を接続し、最上段以外の抵抗体回路（１２・・・）については接続部材（１４）の接続、切り離しを自在にして５０ＫＷから７５０ＫＷの容量の６６００Ｖあるいは３３００Ｖ高圧３相交流発電機の負荷試験を可能とし、
前記負荷器ユニット（１７）は碍子（２８）及び防震ゴム（２５）を介して取り付けフレーム（２７）上に立設されてなると共に、冷却ファン（２４）は、前記負荷器ユニット（１７）の下側から上側に送風可能にして取り付けフレーム（２７）下部に取り付けられ、かつ冷却ファン（２４）から負荷器ユニット（１７）下側までの空間には、冷却ファン（２４）から負荷器ユニット（１７）下側に向かって狭窄形状とされたフード（２６）が設けられた、
ことを特徴とする発電機通電試験用負荷抵抗器。
【発明の詳細な説明】
【０００１】
【産業上の利用分野】
本発明は、例えば発電機の通電試験に用いられる負荷抵抗器に関するものである。
【０００２】
【従来の技術】
従来、発電機の通電試験に用いられる負荷抵抗器としては、一般に水を抵抗体として使用した水抵抗器が知られている。しかしながら、従来の水抵抗器は、大量の水を必要とすると共に、装置が大型化してしまい、試験操作に手間がかかるとの課題があった。
【０００３】
また、試験動作中に抵抗体として使用する水は、前記のように大量に要するため循環して使用することとしているが、既に使用した水は不純物が多く混入しているため、使用した水を濾過して使用しなければならず、そのための設備も複雑化、かつ高コスト化してしまっていた。そこで、本発明者は発電機の負荷抵抗器として水を使用しないタイプの発電機通電試験用負荷抵抗器を開発するに至ったのである。
【０００４】
【発明が解決しようとする課題】
かくして、本発明は前記従来の課題を解決するために創案されたものであって、製造コストが安価で、かつ試験操作取り扱いが簡単で安全性に優れた発電機通電試験用負荷抵抗器を提供することを目的とするものである。
【０００５】
【課題を解決するための手段】
本発明は、６６００Ｖあるいは３３００Ｖの高圧３相交流発電機の通電試験に用いられる通電試験用負荷抵抗器であり、方形状に枠組みされた角フレーム（１３）内に、
略円筒状をなす基体（１）と、該基体（１）の外周長手方向に間隔をおいて複数枚取り付けられ、基体（１）外周より外側へ略環状に張り出す張り出し片（２・・・）と、前記基体（１）の内部に設置される抵抗用素材（３）と、該抵抗用素材（３）と前記基体（１）の内壁との間に充填された粉末状をなす絶縁部材（４）と、前記基体（１）の両端部と、該基体（１）の両端部より外側に配置され前記抵抗用素材（３）に接続された接続用端子（５）との間に介在され、前記基体（１）と略同等の外形をなすと共に、前記基体の両端部内壁内に嵌り込んで取り付けられる凸状嵌り込み部を有する、基体（１）の長手方向に向かい略１センチの長さからなるテフロン（登録商標）製絶縁部材（６）と、を有し、
前記接続用端子（５）の基端は前記基体（１）の内部で前記抵抗用素材（３）に接続されてなると共に、他端側は雄ねじ状に形成されて、前記絶縁部材（６）を軸心方向に向かい螺通して外側に露出され、該露出部にはナットが螺着されて前記絶縁部材（６）に固定され、さらにナットが螺挿されて接続部材（１４）用の取り付け部が設けられた、定格電圧４００Ｖ、定格容量１、６７ＫＷ、絶縁耐力２０００Ｖ／１分間の規格からなる負荷抵抗器用抵抗体（１０・・・）を、
所定間隔をおいて平行に複数本取り付け、かつ該複数本の負荷抵抗器用抵抗体（１０・・・）の隣り合う接続用端子（５・・・）同士を前記接続部材（１４）で接続あるいは切り離し可能にして抵抗体回路（１２）を形成し、
略方形体状をなす本体フレーム（１１）内に複数の前記抵抗体回路（１２・・・）を積み重ねて複数段にして組み込むと共に、上下に隣り合う抵抗体回路（１２、１２）にあっては上下に位置する負荷抵抗器用抵抗体（１０）が上下方向に重なり合わない位置に配置されて負荷器ユニット（１７）が形成されてなり、
前記複数段に積み重ねられて組み込まれた抵抗体回路（１２・・・）は、最上段の抵抗体回路（１２・・・）の接続端子（１４）を接続し、最上段以外の抵抗体回路（１２・・・）については接続部材（１４）の接続、切り離しを自在にして５０ＫＷから７５０ＫＷの容量の６６００Ｖあるいは３３００Ｖ高圧３相交流発電機の負荷試験を可能とし、
前記負荷器ユニット（１７）は碍子（２８）及び防震ゴム（２５）を介して取り付けフレーム（２７）上に立設されてなると共に、冷却ファン（２４）は、前記負荷器ユニット（１７）の下側から上側に送風可能にして取り付けフレーム（２７）下部に取り付けられ、かつ冷却ファン（２４）から負荷器ユニット（１７）下側までの空間には、冷却ファン（２４）から負荷器ユニット（１７）下側に向かって狭窄形状とされたフード（２６）が設けられた、
ことを特徴とするものである。
【０００６】
【作用】
本発明にかかる発電機通電試験用負荷抵抗器では、製造が簡単で、かつ負荷抵抗器に用いて発電機の発電試験での試験操作も簡単に行える。さらに、その絶縁対策も充分なため、たとえ６６００Ｖあるいは３３００Ｖという高電圧の発電機の試験であっても、安全にその負荷試験が行える。
【０００７】
【実施例】
以下、図に基づいて本発明に係る実施例を説明する。図１は本発明を構成する発電機通電試験用負荷抵抗器に用いられる負荷抵抗器用抵抗体１０の構成を示す斜視図である。図１において符号１は基体を示す。該基体１は略円筒状をなし、通常略１メートル程度の長さをもって形成されている。
【０００８】
また、前記基体１の外周長手方向には略７ミリメートル程の間隔をおいて基体１の外周へ略環状に張り出す複数枚の張り出し片２・・・が取り付けられている。そして、基体１の内部には電熱線などの抵抗用素材３が配置され、この抵抗用素材３に通電され、該負荷抵抗器用抵抗体１０を通して発電機などが正常に発電しているか否かの通電試験が行われるものとなる。
【０００９】
しかして、前記した複数枚の張り出し片２・・・はこの抵抗用素材３に通電した際に生ずる熱を放熱する機能を果たす。ここで、抵抗用素材３の両端は基体１の両端側に設けられた接続用端子５、５と接続されている。そして、抵抗用素材３と基体１の内壁との間には通電される抵抗用素材３と基体１とを絶縁するため、略粉末状に構成された絶縁部材４が充填されている。
【００１０】
さらに、図１から理解されるように、前記抵抗用素材３に接続された接続用端子５、５と基体１の両端部との間には前記基体１と略同等の外形をなすテフロン（登録商標）製の絶縁部材６が介在されている。そして、このテフロン（登録商標）製絶縁部材６の長さは基体１と接続用端子５との間で略１センチ以上の長さを有してあることが望ましいとされている。
【００１１】
何故なら、例えば６６００Ｖの３相交流式高圧発電機の通電試験を行うと、少なくとも１相あたり３８１９Ｖの電圧がかかることとなり、たとえ後述する本体フレーム１１に中間電位をかけても負荷抵抗器用抵抗体１０には約１９１０Ｖの電圧がかかり、もって当該負荷抵抗器用抵抗体１０については２０００Ｖの絶縁耐力を有しなくてはならず、そのためには前記の接続用端子５と基体１との間を確実に絶縁することが要求されるからである。
【００１２】
そのため、抵抗用素材３に接続された接続用端子５、５と基体１の両端部との間に前記基体１の外形と略同等の外形をなし、略１センチメートル程の長さを有するテフロン（登録商標）製の絶縁部材６を介在させてある。以上において、本発明の一使用状態について説明する。ここで、負荷抵抗器用抵抗体１０は、通常例えば図２、図３に示すように、負荷抵抗器内に複数本（１５０本程度）設置されて使用される。
【００１３】
そして、この負荷抵抗器用抵抗体１０は、１本あたり例えば定格電圧４００Ｖ、定格容量１、６７ＫＷ、絶縁耐力２０００Ｖ／１分間等の規格で構成され、６６００Ｖあるいは３３００Ｖの高圧発電機の試験に複数本使用されるものとなる。図３において符号１１は略方形体状に枠組みされた本体フレームであり、該本体フレーム１１内に図２に示す抵抗体回路１２が複数段（本実施例では例えば１５段）挿入され、積み重ねられて負荷器ユニット１７が形成されるものとなる。
【００１４】
ここで、本実施例では抵抗体回路１２は図２から理解されるように、四角状の角フレーム１３内に上述した負荷抵抗器用抵抗体１０・・・を所定の間隔をおいて例えば１０本取り付けられて形成される。そして、この１０本の負荷抵抗器用抵抗体１０・・・を直列接続されるようにそれらの接続用端子５、５同士を接続部材１４で接続して構成されている。
【００１５】
これにより、１つの抵抗体回路１２で１６、７ＫＷの容量を有することになる。 さらに、図３から理解されるように、上から２番目に設置された抵抗体回路１２は、最上段の抵抗体回路１２に取り付けられた１０本の負荷抵抗器用抵抗体１０・・・の略中間位置に位置する様、すなわち互い違いに位置する様角フレーム１３に１０本取り付けられているのである。
【００１６】
これは、各負荷抵抗器用抵抗体１０・・・に電流が流されると、かなりの高温で発熱するため、冷却ファン２４により冷却作業が行わなければならない。しかして、冷却ファン２４による冷却作業が効率よく行われるようにするため、いわゆる複数設置された抵抗体回路１２・・・内の負荷抵抗器用抵抗体１０・・・が互い違い状態となり、風当たりを良くするよう配置されているのである。
【００１７】
また、冷却ファン２４は図６に示すように設置された負荷器ユニット１７の下側に防震ゴム２５を介して取り付けフレーム２７に取り付けられており、かつフード２６をも設けることにより冷却ファン２４の風が効率よく負荷抵抗器用抵抗体１０・・・に当たるよう構成されている。さらに、符号２８は碍子を示し、前記負荷器ユニット１７がこの碍子２８を介して設置されているため、本装置は極めて高い絶縁性を確保するものとなる。
【００１８】
ここで、この様な抵抗体回路１２は前述のように例えば１５段設置される。よって、本実施例では例えば５０ＫＷ程度から７５０ＫＷ程度の容量の発電機の試験が可能となる。すなわち、５０ＫＷの発電機の試験を行うときは、最上段の抵抗体回路１２のみを使用すればよい。
【００１９】
この様に容量の異なった発電機の試験を行うときは第１端子１５の切り替えによって行えばよい。すなわち、かかる第１端子板１５には試験すべき発電機からの入力線１８が接続されると共に、複数設置された負荷抵抗器用抵抗体１０・・・の接続用端子５からの接続部材１４が接続される。
【００２０】
よって、最上段の抵抗体回路１２の接続部材１４のみを接続し、他方の接続部材１４・・・は切り離せば、１相に対して、約１６、７ＫＷ程度の容量を確保でき、３相では５０ＫＷの容量が確保できるのである。尚、符号１６は第２端子を示し、この第２端子１６にはそれぞれの３相のゼロ相となるよう接続される。
【００２１】
ところで、前述の第１端子板１５及び第２端子板１６は図３において手前の面の上方位置の箇所に設置したが、この箇所に限定されるものではなく、手前の面に対応する反対側の面のいずれの箇所に設置しても構わないものである。また、図３においては第１端子板１５に、試験すべき発電機からの入力線１８が接続されていると共に、複数設置された負荷抵抗器用抵抗体１０・・・の接続端子５からの接続線１９が接続されており、第２端子板１６は、それぞれの３相のゼロ相となるよう接続されているが、これらの結線を逆にして接続しても構わないものである。
【００２２】
しかして、この様に通常発電機は３相交流タイプで使用されるため、前述した負荷器ユニット１７が３台必要とされるのである。そして前述のように、３相全体として、６６００Ｖまでの高電圧発電機の試験が可能とされているのである。尚、図４は本件発明による発電機通電試験用負荷抵抗器をトラック２０の後部荷台に搭載した状態を示す説明図である。
【００２３】
ここで、負荷抵抗器２１は３相交流電源の発電機に対応させるため、３つの負荷器ユニット１７・・・を並設して構成されており、トラック２０の荷台２２に設けられた取り付けフレーム２７に防震ゴム２５及び碍子２８を介して取り付けられている。また、前述の如く取り付けフレーム２７の下方には大型の冷却ファン２４が各々設けられ、通電試験時に生ずる発熱を解消するよう構成されている。
【００２４】
そして、負荷抵抗器２１は１つで７５０ＫＷの容量を有し、図４、図５に示す実施例では該容量を有する負荷抵抗器２１を４台積んでいるため、３０００ＫＷの全体容量を有することになる。さらに、符号３０は微調整用の負荷器ユニットで略２００〜３００Ｗの容量で構成される。また、符号３１はトランスで前記微調整ユニット３０に接続されて使用される。
【００２５】
よって、この実施例では６６００Ｖあるいは３３００Ｖの高圧発電機で５０ＫＷの容量のものから３０００ＫＷの容量のものまでの通電試験が可能となっているのである。
【００２６】
【発明の効果】
以上説明したように本発明によれば、水を全く必要としない、いわゆる乾式タイプの発電機通電試験用の負荷抵抗器を安価に提供でき、かつ試験操作取り扱いも簡単で安全性に優れた発電機通電試験用の負荷抵抗器を提供できる。
【図面の簡単な説明】
【図１】  本発明の概略構成説明図である。
【図２】  本発明の使用状態説明図である（その１）。
【図３】  本発明の使用状態説明図である（その２）。
【図４】  本発明の使用状態説明図である（その３）。
【図５】  本発明の使用状態説明図である（その４）。
【図６】  冷却ファンの取り付け状態を説明する説明図である。
【符号の説明】
１  基体
２  張り出し片
３  抵抗用素材
４  絶縁部材
５  接続用端子
６  テフロン（登録商標）製絶縁部材
１０  負荷抵抗器用抵抗体
１１  本体フレーム
１２  抵抗体回路
１３  角フレーム
１４  接続部材
１５  第１端子板
１６  第２端子板
１７  負荷器ユニット
１８  入力線
１９  接続線
２０  トラック
２１  負荷抵抗器
２２  荷台
２４  ファン
２５  防震ゴム
２６  フード
２７  取り付けフレーム
２８  碍子
３０  微調整用負荷器ユニット
３１  トランス
【図１】
0003718874.tif 000002
【図２】
0003718874.tif 000003
【図３】
0003718874.tif 000004
【図４】
0003718874.tif 000005
【図５】
0003718874.tif 000006
【図６】
0003718874.tif 000007